(57)【要約】  【課題】  本発明の課題は、テレビジョンや屋外広告などの媒体が表示する情報に関する詳細な関連情報を、人々が、リアルタイムに、かつ容易な方法で得られるような装置又は方法を考案することである。  【課題手段】  本発明は、テレビジョン番組等の放送される番組を識別する情報を含む番組情報からウェブページに関する情報を取得してウェブページを生成し、前記ウェブページを前記番組の放送に同期させて出力するウェブページ生成装置を提供することにより、前記課題を解決するに至った。【選択図】  図１
2005267062.tif 000002
【特許請求の範囲】
【請求項１】
放送される番組を識別する識別子である番組識別子を含む情報である番組情報を取得する番組情報取得部と、
番組情報取得部にて取得された番組情報から番組識別子を取得しその番組識別子にて識別される番組に関するウェブページ情報を取得するウェブページ情報取得部と、
ウェブページ情報取得部で取得されたウェブページ情報からウェブページを生成するウェブページ生成部と、
ウェブページ生成部で生成されたウェブページを前記番組の放送に同期させて出力するウェブページ出力部と、
を備えるウェブページ生成装置。
【請求項２】
前記番組の放送への同期を行なうための番組放送中情報を取得する番組放送中情報取得部と、
番組放送中情報取得部で取得した番組放送中情報に基づいて前記同期を行なう同期部と、
を有する請求項１に記載のウェブページ生成装置。
【請求項３】
前記同期は、前記番組の放送開始から、前記番組の終了後所定時間内に前記ウェブページの出力を行なうものである請求項２に記載のウェブページ生成装置。
【請求項４】
前記所定時間は、１分から３０分の間に含まれる時間である請求項３に記載のウェブページ生成装置。
【請求項５】
前記ウェブページの出力は、ディスプレーの一画面に自身の生成したウェブページを複数配置する構成にて行なわれることを特徴とする請求項１から４のいずれか一に記載のウェブページ生成装置。
【請求項６】
前記番組は、広告を行なうために放送されるものであることを特徴とする請求項１ないし５のいずれか一に記載のウェブページ生成装置。
【請求項７】
前記番組情報取得部は、広告を行なうために放送される番組を提供する会社である番組提供会社のサーバ装置より送信される番組情報を取得することを特徴とする請求項６に記載のウェブページ生成装置。
【請求項８】
前記番組情報取得部は、放送を行なう会社である放送会社のサーバ装置より送信される番組情報を取得することを特徴とする請求項１から６のいずれか一に記載のウェブページ生成システム。
【請求項９】
前記番組情報取得部は、広告代理店のサーバ装置より送信される番組情報を取得することを特徴とする請求項６に記載のウェブページ生成装置。
【請求項１０】
前記ウェブページには、広告によって宣伝される商品または役務の提供者へ商品または役務を申し込むための情報である申し込み情報が、含まれることを特徴とし、
申し込み情報に基づく、商品または役務に対する、申し込みを取得する申し込み取得部と、
申し込み取得部で取得された申し込みを、その申し込みが行なわれた商品または役務の提供者へ通知する通知部と、
その申し込みが行なわれた商品または役務の提供者からの課金の依頼を受け付ける課金依頼受付部と、
課金依頼受付部で受け付けられた課金の依頼に応じて、課金処理を行なう課金処理部と、
を有する請求項６から９のいずれか一に記載のウェブページ生成装置。
【請求項１１】
放送される番組を識別する識別子である番組識別子を含む情報である番組情報を取得する番組情報取得ステップと、
番組情報取得ステップにて取得された番組情報から番組識別子を取得しその番組識別子にて識別される番組に関するウェブページ情報を取得するウェブページ情報取得ステップと、
ウェブページ情報取得ステップで取得されたウェブページ情報からウェブページを生成するウェブページ生成ステップと、
ウェブページ生成ステップで生成されたウェブページを前記番組の放送に同期させて出力するウェブページ出力ステップと、
を含むウェブページ生成方法。
【発明の詳細な説明】
【技術分野】
【０００１】
本発明は有線又は無線放送、野外広告などの、公衆に対する送信の手段によって表示される情報に関連するウェブページを、前記情報と同期して出力表示させる装置又は方法に関するものである。
【背景技術】
【０００２】
テレビジョン放送、ラジオ放送の技術は、長足の発展を遂げて、今日では地上波のみならず、有線、衛星、さらにはインターネットを介した方法による等あらゆる方法が用いられ、人々に様々な情報、映像を提供している。また、屋外広告も、従前はポスターなどの紙媒体又は看板などの媒体であったものが、大型スクリーンなどを使用した電子的装置によって情報がリアルタイムに表示できる方法によってなされることも多くなった。
【０００３】
そして、企業・各種団体などの広告主は、前記放送システム又は広告等を使用し、自らの企業体・商品・主義主張を広告することができる。
【０００４】
しかし、前記のような情報伝達手段を用いた広告では、広告主からの一方的な情報を提供するだけであり、消費者がさらに知りたいと思う詳細な情報に対し、消費者が選択してアクセスしようとする場合、広告主に電話をかける、店舗などに赴く等、手間と時間がかかる方法しかなかった。また、このような方法では、消費者の持つ、すぐに情報を得たいという要求に応えることができず、広告の効果が減じられる問題点があった。
【０００５】
また、携帯電子機器端末に放送番組に関する情報を提供するシステムが考案されているが（例えば、特許文献１参照。）、放送番組を見る者の嗜好を考慮して情報を提供しなければ、無駄な情報の提供に終わってしまう危険がある。
【０００６】
さらに、広告のみならず、人々が、テレビジョン、ラジオ、野外広告等の媒体が表示する情報に関心を持ち、その情報をさらに詳細を知りたいと思う場合も、かかる詳細な情報にすぐにアクセスできる手段はなかった。
【特許文献１】特開２００２−１４１８７６号公報
【発明の開示】
【発明が解決しようとする課題】
【０００７】
本発明の課題は、前記のような問題点に鑑み、テレビジョン、ラジオ、野外広告等の媒体が表示する情報に関する詳細な関連情報を、人々が、リアルタイムに、かつ容易な方法で得られるような装置又は方法を提供することである。
【課題を解決するための手段】
【０００８】
近年、多く家庭にパーソナルコンピュータが普及し、さらに、データ通信機能を持つ携帯電話、ＰＤＡ、家庭用ビデオゲーム機などの端末も広く普及するようになった。これら機器の多くがインターネットに接続されることにより、人々は、特にＷＷＷ（ワールド・ワイド・ウェブ）の閲覧を通じ、様々な直接を入手できるようになった。
【０００９】
本発明は、テレビジョン番組等の放送される番組からウェブページを生成し、前記ウェブページを前記番組の放送に同期させて出力するウェブページ生成装置を提供することにより、前記課題を解決するに至った。
【発明の効果】
【００１０】
以上のように、本発明によれば、テレビジョン、ラジオ、野外広告等の媒体が表示に関する情報を、例えばリアルタイムに、かつ、容易な方法で得ることができる。
【発明を実施するための最良の形態】
【００１１】
以下に、本発明の実施の形態を説明する。なお、本発明はこれら実施の形態に何ら限定されるものではなく、その要旨を逸脱しない範囲において、種々なる態様で実施しうる。
【００１２】
実施形態１は、主に請求項１などについて説明する。
【００１３】
実施形態２は、主に請求項２などについて説明する。
【００１４】
実施形態３は、主に請求項３などについて説明する。
【００１５】
実施形態４は、主に請求項４などについて説明する。
【００１６】
実施形態５は、主に請求項５などについて説明する。
【００１７】
実施形態６は、主に請求項６などについて説明する。
【００１８】
実施形態７は、主に請求項７などについて説明する。
【００１９】
実施形態８は、主に請求項８などについて説明する。
【００２０】
実施形態９は、主に請求項９などについて説明する。
【００２１】
実施形態１０は、主に請求項１０などについて説明する。
【００２２】
実施形態１１は、主に請求項１１などについて説明する。
【００２３】
<実施形態１>
<実施形態１：概要>
図１は、本実施形態の一例の概念を示すものである。また、図２は、本実施形態のフローを示したブロック図である。
【００２４】
<実施形態１：構成>
実施形態１について説明する。本実施形態は、放送される番組を識別する識別子である番組識別子を含む情報である番組情報を取得する番組情報取得部と、番組情報取得部にて取得された番組情報から番組識別子を取得しその番組識別子にて識別される番組に関するウェブページ情報を取得するウェブページ情報取得部と、ウェブページ情報取得部で取得されたウェブページ情報からウェブページを生成するウェブページ生成部と、ウェブページ生成部で生成されたウェブページを前記番組の放送に同期させて出力するウェブページ出力部と、を備えるウェブページ生成装置である。本実施形態での機能ブロックの一例を図２に示した。
【００２５】
<実施形態１：用語の定義>
「放送」とは、有線無線のいずれの方法を問わず、文字情報、映像若しくは音声の一又は一以上の組合せを受信装置に送ることのほか、野外広告表示など、多数の人の目に触れることをその目的又は効果とする表示装置に、文字情報、映像若しくは音声の一又は一以上の組合せを表示することをいう。
【００２６】
「番組」とは、前記放送を構成するもので、一定の主題を持つひとまとまりの情報として、他の部分と区別しうる単位であると、放送を行なう放送の主体が考えるものをいう。
【００２７】
「ウェブページ」とは、インターネット等のネットワークに接続されているサーバ等のコンピュータ装置に蓄積され、前記ネットワークに接続する端末からの要求に対して同端末に対して提供する電子的なドキュメントであり、テキスト、動画又は静止画、音声、書式若しくは制御命令その他の電子データの一又は一以上の組合せでなるものをいう。ウェブページは、ＨＴＭＬ、ＸＭＬ、ＣＨＴＭＬなど、現行においてウェブページを記述するために一般的に用いられている言語が用いられることが多いが、本発明で用いることができるものはこれに限定されることはなく、本発明時において未知のものも含め、あらゆるウェブページ記述言語を用いることができる。
【００２８】
本発明において、番組とウェブページとの関係としては、次のものがある。すなわち、番組の内容をそのままウェブページにした関係、あるいは、番組の内容を詳しく説明したものをウェブページにした関係がある。以上のような関係を「直接的な関係」と呼べとすれば、「間接的な関係」もあり得る。例えば、番組の内容に関連する内容がウェブページになっている関係がある。より具体的な例を挙げると、番組で紹介された商品を販売する商店の情報や、そのような商店の広告がウェブページになっていてもよい。
【００２９】
以下、「放送」、「番組」及び「ウェブページ」は、本明細書において、明示的にこれに反する意味が与えられない限り、すべて同じ意味を持つ。
【００３０】
以下、各構成要件について説明する。本件発明の構成要素である各部は、ハードウエア、ソフトウエア、ハードウエアとソフトウエアの両者、のいずれかによって構成される。たとえば、これらを実現する一例として、コンピュータを利用する場合には、ＣＰＵ、メモリ、バス、インターフェイス、周辺装置などから構成されるハードウエアと、これらのハードウエア上にて実行可能なソフトウエアを挙げることができる。
【００３１】
具体的には、メモリ上に展開されたプログラムを順次実行することで、メモリ上のデータや、インターフェイスを介して入力されるデータの加工、蓄積、出力などにより各部の機能が実現される。（本明細書の全体を通じて同様である。）
【００３２】
<実施形態１：各構成要件の説明>
以下、図２を用いて、各構成要件を説明する。
【００３３】
<構成要件：番組情報取得部>
番組情報取得部２０１は、ウェブページ生成装置２００において、放送される番組を識別する識別子である番組識別子を含む情報である番組情報を取得する部分である。
【００３４】
番組識別子は、例えば、放送される番組ごとに特定された番号など、特定のフォーマットを持つ電子データである。例えば、図３は、番組識別子を、１６桁の１６進数で定義し、さらに、ＸＭＬの形式で記述した例である。
【００３５】
また、その他の番組情報としては、放送日時、チャンネルの情報を含めることができる。図４は、番組情報として、番組識別子、放送日時、放送時間及びチャンネルを含む情報をＸＭＬの形式で記述したものである。
【００３６】
しかしながら、番組情報を記述する書式、記述言語は、特定のものに限られるものではなく、また、ＸＭＬのようなすでに一般的に用いられているものに限られることはない。記述形式さえ特定されていれば、オリジナルな形式のものでもよい。
【００３７】
<構成要件：ウェブページ情報取得部>
ウェブページ情報取得部２０２は、ウェブページ生成装置２００において、番組情報取得部２０１にて取得された前記番組情報から前記番組識別子を取得しその番組識別子にて識別される番組に関するウェブページ情報を取得する部分である。
【００３８】
すなわち、前記ウェブページ情報取得部が、前記の例でいえば、１６桁の１６進数の番組情報識別子を取得する。そして、前記番組情報識別子は、前記番組情報識別子によって特定されるウェブページ情報を取得する。
【００３９】
前記ウェブページ情報としては、一例として、ウェブページが存在するインターネット上のアドレスなどが考えられる。例えば、前記図３、図４の例でいえば、１６進数の１６桁数字の左８桁が、１０進数０〜２５５の数字の組合せを４組作り出すことができるから、左８桁を、ウェブページが存在するサーバが所在するインターネットのＩＰアドレスを特定する数字とし、右８桁を、前記サーバ内におけるウェブページを特定するための番号とする、といった情報の記述を行なうことができる。
【００４０】
<構成要件：ウェブページ生成部>
ウェブページ生成部２０３は、ウェブページ生成装置２００において、ウェブページ情報取得部２０２で取得されたウェブページ情報からウェブページを生成する部分である。
【００４１】
すなわち、前記ウェブページ情報が、例えばインターネット上のアドレスだとすれば、ウェブページ生成部は、前記アドレスにアクセスし、前記ウェブページを取得し、ウェブページ生成装置２００における記憶装置（図示しない）に蓄積する。
【００４２】
前記記憶装置としては、メモリ、ＨＤＤ、ＣＤ−ＲＷ、ＤＶＤ−ＲＡＭ、ＺＩＰ、ＭＯ、磁気テープ、その他、電子データを一時的又は中長期に保存できる一切の手段又は装置を用いることができる。
【００４３】
<構成要件：ウェブページ出力部>
ウェブページ出力部２０４は、ウェブページ生成装置２００において、ウェブページ生成部２０３で生成されたウェブページを前記番組の放送に同期させて出力する部分である。
【００４４】
すなわち、前記ウェブページ生成装置は、前記記憶装置に蓄積された前記ウェブページを、前記番組の放送開始時刻と同時に、前記ウェブページ生成装置に接続されたウェブサーバに蓄積し、インターネットなどのネットワークを介して前記ウェブサーバにアクセスするネットワーク端末に対し、前記ウェブページを提供できるようにする。
【００４５】
また、ウェブページ出力部２０４は、前記番組の放送時間が終了する時刻と同時に、前記ウェブページを前記ウェブサーバから削除することができる機能を備えてもよい。また、ウェブページ生成装置２００が、前記ウェブサーバの機能を兼ねることもできる。
【００４６】
前記ネットワーク端末は、パーソナルコンピュータ、携帯電話、ＰＤＡ、家庭用ビデオゲーム（携帯用を含む）、テレビジョン受信装置、カーナビゲーション、モニタ付家電等、インターネットなどのネットワークに、有線・無線の手段を問わず接続し、ウェブページを表示できる電子的表示装置を備えているものであれば、どんなものでも用いることができる。また、前記ネットワーク端末は、前記番組の放送を受信する装置と一体化されていてもよく、分離した独立したものでもよい。
【００４７】
<実施形態１：具体例>
以下、実施形態１の具体例を、図１等を用いて説明する。
【００４８】
<具体例１>
例えば、テレビジョン放送を例に取る場合を説明する。毎週金曜日の２０時５０分より２１時００分まで放送される料理番組があり、同番組の内容は、料理研究家とタレントが、毎回、異なる数種の調理をし、調理終了後、試食をするというものであるとする。そして、前記番組に関連した情報として、料理の調理法、材料と分量に関する情報、さらに、調理時と試食時に使用された調理器具、食器の販売情報を、番組と同期させてウェブページとして表示させたいとする。このウェブページの内容としては、例えば、番組の内容に直接関係する調理方法のみならず、食材を販売する商店の情報や食材を販売する商店の広告であってもよい。
【００４９】
この場合、まず、前記番組に先立ち、図１の広告主、放送会社、又はこれらが指定する者が設置又は管理するサーバ（以下、「放送元等サーバ」という。）１０１より、インターネット等のネットワークを介して、番組識別子を含む番組情報が、ウェブページ生成装置１０６の番組情報取得部に送信される。そして、ウェブページ生成装置１０６は、ウェブページ情報取得部及びウェブページ生成部によって、所定のウェブページのデータを、前記ウェブページ生成装置における記憶装置に蓄積する。
【００５０】
ウェブページ生成装置１０６は、ウェブページ生成装置１０６自身の内蔵時計又はその他の時刻識別手段から、前記番組情報に含まれる前記番組の放送開始日時の到来を認識すると、ウェブページ生成装置１０６の番組情報取得部が、前記記憶装置に蓄積された前記ウェブページを、前記ウェブページ生成装置に接続されたウェブサーバに蓄積し、インターネットなどのネットワークを介して前記ウェブサーバにアクセスするネットワーク端末に対し、前記ウェブページを提供できるようにする。また、ここでいう「ネットワーク端末」は携帯電話などの携帯型の端末装置であってもよい。さらに、ウェブページへのアクセスは、ネットワーク端末に蓄積されたブックマークを用いて行なわれるようになっていてもよい。
【００５１】
そして、ウェブページ生成装置１０６は、前記番組情報に含まれる所定の放送時間が経過すると、前記ウェブページを前記ウェブサーバから削除したり、他の番組のウェブページに更新したりすることができる。このようにすることにより、ブックマークを用いて固定のＵＲＬにアクセスが行なわれても、ウェブページをアクセスした時間により、異なるウェブページを閲覧することができるようになる。
【００５２】
前記番組の視聴者は、自己が有するネットワーク端末から、所定の操作を行なうことにより、ネットワークを通じ、前記ウェブページにアクセスする。視聴者が前記ウェブページにアクセスする方法としては、様々な方法が考えられるが、例として以下のようなものが考えられる。
【００５３】
例えば、前記番組放送中、視聴者が、放送する画面の特定の場所に前記放送局のインターネットアドレスを指定し、同アドレスにアクセスすれば、後は何らの操作を要さず、放送される番組が変わるごとに、視聴者の端末には、番組に応じたウェブページが表示されるようにすることができる。
【００５４】
または、前記番組を放送する放送局が、番組を電波によって放送する際、番組そのものの電波のみならず、前記端末を操作し適切なウェブページが表示されるような制御命令を発し、前記端末の無線受信手段がこれを受信し、所定のウェブページにアクセスするという方法も可能である。
【００５５】
さらには、前記端末を、放送の受信機が兼ねる場合、放送の受信機を操作するリモコン装置の所定のボタンを押すことで、前記ウェブページが前記受信機の画面の一部などにスーパーインポーズされる、あるいは、画面全体にウェブページが表示される、という方法も考えられる。
【００５６】
<具体例２>
次に、野外映像広告を例に取る場合を説明する。例えば、ある駅前の商業ビルの壁面に貼付する又は埋めこむ形で、通行人が容易に見えるような超大型のディスプレーが設置されている。そして、そこに、西暦××××年５月１日に発売されるある歌手の新作ＣＤアルバム宣伝のための映像と音声を、同年４月１日より５月３０日まで、上記ディスプレーにおいて広告表示するとする。そして、前記に関連した情報として、前記歌手のプロフィール、前記ＣＤアルバムの収録曲の一覧、各収録曲の最初の１５秒間が視聴できる音声データ、前記歌手の他のＣＤアルバム、ＣＤシングル、前記歌手のコンサート情報等の情報を、前記広告表示と同期させてウェブページとして表示させたいとする。
【００５７】
この場合も、具体例１と同様、まず、前記広告表示に先立ち、図１の放送元等サーバ１０１より、インターネット等のネットワークを介して、広告に関する番組識別子を含む番組情報が、ウェブページ生成装置１０６の番組情報取得部に送信される。そして、ウェブページ生成装置１０６は、ウェブページ情報取得部及びウェブページ生成部によって、所定のウェブページのデータを、前記ウェブページ生成装置における記憶装置に蓄積する。
【００５８】
ウェブページ生成装置１０６は、ウェブページ生成装置１０６自身の内蔵時計又はその他の時刻識別手段から、前記番組情報に含まれる前記番組の放送開始日時の到来を認識すると、ウェブページ生成装置１０６の番組情報取得部が、前記記憶装置に蓄積された前記ウェブページを、前記ウェブページ生成装置に接続されたウェブサーバに蓄積し、インターネットなどのネットワークを介して前記ウェブサーバにアクセスするネットワーク端末に対し、前記ウェブページを提供できるようにする。
【００５９】
前記広告の視聴者は、自己が有するネットワーク端末から、所定の操作を行なうことにより、ネットワークを通じ、前記ウェブページにアクセスする。
【００６０】
<実施形態１：効果>
実施形態１によって、テレビジョン、ラジオ、野外広告等の媒体が表示する情報に関する詳細な関連情報を、人々が、リアルタイムに、かつ容易な方法で得ることができる。
【００６１】
<実施形態２>
<実施形態２：構成>
実施形態２は、前記番組の放送への同期を行なうための番組放送中情報を取得する番組放送中情報取得部と、番組放送中情報取得部で取得した番組放送中情報に基づいて前記同期を行なう同期部とを有する請求項１に記載のウェブページ生成装置である。
【００６２】
すなわち、実施形態２は、以下に説明するところを除けば、各構成、各構成相互の関係、具体例はすべて実施形態１と同様である。
【００６３】
<実施形態２：各構成要件の説明>
以下、実施形態２に特有の構成要件について、図５を用いて説明する。
【００６４】
<構成要件：番組放送中情報取得部>
番組放送中情報取得５０１は、ウェブページ生成装置２００において、放送される番組が放送中であることを識別する番組放送中情報を取得する部分である。
【００６５】
図６は、番組放送中情報の一例を示すものである。この例では、番組放送中情報を、１６桁の１６進数で定義される番組識別子を含む、ＸＭＬの形式で記述してある（もちろん、書式、記述言語は、特定のものに限られるものではない）。番組識別子は、例えば、放送される番組ごとに特定された番号など、特定のフォーマットを持つ電子データである。
【００６６】
<構成要件：同期部>
同期部５０２は、ウェブページ生成装置２００において、前記番組放送中情報取得部にて取得された前記番組放送中情報から前記番組識別子を取得し、前記番組識別子を、ウェブページ出力部２０４に送信することによって、前記ウェブページ出力部が放送中の前記番組に関連したウェブページを出力できるようにするものである。
【００６７】
<実施形態２：具体例>
以下、実施形態２の具体例を説明する。
【００６８】
<具体例の概要>
例えば、ラジオ放送を例に取る場合を説明する。シーズン中、試合時刻に合わせた所定の曜日日時に放送されるプロ野球中継番組があるとする。そして、前記番組に関連した情報として、各出場選手のプロフィール、今期及び通算成績、スポンサーの宣伝広告等を、番組と同期させてウェブページとして表示させたいとする。
【００６９】
<番組情報の取得>
まず、図５でいえば、前記番組に先立ち、ウェブページ生成装置２００が、番組情報取得部２０１によって放送元等サーバより番組情報を取得し、ウェブページ情報取得部２０２及びウェブページ生成部２０３によって、所定のウェブページのデータを、前記ウェブページ生成装置における記憶装置に蓄積することは、実施形態１の具体例１と同様である。
【００７０】
ただし、この場合の前記番組情報としては、実施形態１とは異なり、番組放送開始日時に関する情報、及び放送時間に関する情報を省略することができる。
【００７１】
<番組放送中情報の取得>
そして、前記番組が放映される時刻になると、前記放送元等サーバより、番組放送中情報取得部５０１に、番組放送中情報が、有線又は無線の方法により、ネットワーク回線を通じ、送信される。
【００７２】
次に、前記番組放送中情報が、同期部５０２によって、ウェブページ出力部２０４に送信される。
【００７３】
<ウェブページの出力>
ウェブページ出力部２０４は、前記番組放送中情報を受け取ると、前記番組放送中情報に含まれる番組識別子によって識別される番組の放送が開始された事実を認識し、前記記憶装置に蓄積された前記番組に関するウェブページを、前記ウェブページ生成装置に接続されたウェブサーバに蓄積し、インターネットなどのネットワークを介して前記ウェブサーバにアクセスするネットワーク端末に対し、前記ウェブページを提供できるようにする。
【００７４】
<番組終了の処理>
そして、ウェブページ出力部２０４が、前記番組の終了を認識すると、前記ウェブサーバに蓄積された前記ウェブページを削除したり、他の情報に更新したりすることができる。
【００７５】
その方法としては複数の方法が考えられるが、例えば、前記番組の放送中、前記放送元等サーバが前記番組放送中情報を一定の頻度（例えば１秒に１回）で前記番組放送中情報取得部５０１に送信し、同期部５０２がウェブページ出力部２０４に対し、前記番組放送中情報を送信する。そして、ウェブページ出力部２０４は、同期部５０２からの前記番組放送中情報を受信している限り、前記番組が放送中であることを認識するが、一定時間（例えば５秒）以上、前記番組放送中情報の受信がないと、放送が終了したと認識する、という方式が考えられる。
【００７６】
または、以下のような方法も可能である。すなわち、図７のとおり、番組放送中情報取得部５０１が取得する番組放送中情報として、番組識別子のほか、開始終了命令を含める方法でもよい。すなわち、図７の（１）のとおり、前記番組が開始する際、番組放送中情報取得部５０１が、放送元等サーバより、番組識別子に加え、開始終了命令として、開始を示す記号を受信し、同期部５０２が、前記番組識別子及び前記開始を示す記号を、ウェブページ出力部に送信する。
【００７７】
次に、図７の（２）のとおり、前記番組が終了する際、番組放送中情報取得部５０１が、放送元等サーバより、番組識別子に加え、開始終了命令として、終了を示す記号を受信し、同期部５０２が、前記番組識別子及び前記終了を示す記号を、ウェブページ出力部に送信する。
【００７８】
前記番組の視聴者は、自己が有するネットワーク端末から、所定の操作を行なうことにより、ネットワークを通じ、前記ウェブページにアクセスする。
【００７９】
<実施形態２：効果>
前記プロ野球中継においては、放送当日、雨天などの影響で、試合開始時間が遅れ、結果放送開始時間が変更になったり、また、試合の状況によっては、試合が長引き、結果中継番組も時間延長がされたりすることがある。また、他の番組においても、不測の事態により、放映時間が変更になることもありうる。しかし、実施形態２によれば、ウェブページ生成装置が、番組放送中情報を取得することにより、放映時間に合わせ柔軟にウェブ表示をなすことが可能となる。
【００８０】
その他の効果は、実施形態１と同様である。
【００８１】
<実施形態３>
実施形態３は、前記同期が、前記番組の放送開始から、前記番組の終了後所定時間内に前記ウェブページの出力を行なうものである実施形態２に記載のウェブページ生成装置である。本実施形態においては「所定の時間」は特に限定はしない。社会情勢や人々の生活習慣に応じて任意に設定することができよう。例えば、ウェブページにアクセスしにくい環境であれば、「所定の時間」は、そのアクセスのしにくさに応じて設定される。逆にウェブページにアクセスしやすい環境が実現されれば、「所定の時間」を短く設定することができる。
【００８２】
実施形態３は、以下に説明するところを除けば、各構成、各構成相互の関係、具体例はすべて実施形態２（実施形態２が実施形態１を引用又は参照する場合を含む）と同様である。
【００８３】
本実施形態の特徴は、前記同期が、前記番組の放送開始から、前記番組の終了後所定時間内に前記ウェブページの出力を行なうものである点である。図５を用いて説明すると、その方法は、実施形態２の具体例で説明したとおり、前記番組の放送中及び終了後所定時間の間、前記放送元等サーバが前記番組放送中情報を一定の頻度で前記番組放送中情報取得部５０１に送信し続ける方法、又は、前記番組放送中情報に、番組識別子に加え、開始終了命令を含ませる方法が考えられる。
【００８４】
<実施形態４>
実施形態４は、前記所定時間が、１分から３０分の間に含まれる時間である実施形態３に記載のウェブページ生成装置である。上限を３０分に限定したのは、多くのテレビ番組が３０分を単位に構成されており、人々の生活習慣が３０分を単位にしたものになっていることが多いからである。また、例えば、番組が終了し、その次の番組（この番組の長さの上限が３０分であってもよい）の中で、前の番組について思い出させる内容を放送することにより、ウェブページのアクセスを促進させるような番組構成にしてもよい。実施形態４は、上記所定時間に関する特徴を除けば、各構成、各構成相互の関係、具体例はすべて実施形態３（実施形態３が引用又は参照する他の実施形態を含む）と同様である。
【００８５】
<実施形態５>
実施形態５は、前記ウェブページの出力が、ディスプレーの一画面に自身の生成したウェブページを複数配置する構成にて行なわれることを特徴とする実施形態１から４のいずれか一に記載のウェブページ生成装置である。
【００８６】
実施形態５は、上記ウェブページの配置に関する特徴を除けば、各構成、各構成相互の関係、具体例はすべて実施形態１〜４と同様である。
【００８７】
<実施形態６>
実施形態６は、前記番組が、広告を行なうために放送されるものであることを特徴とする実施形態１ないし５のいずれか一に記載のウェブページ生成装置である。
【００８８】
例えば、テレビジョンやラジオのように狭義に放送される場合において、広告は、コマーシャルとなる。
【００８９】
なお、ここでいう広告とは、その広告の直接の対象となる商品や役務の販売促進あるいは知名度向上を図るものに限定されない。例えば、広告の直接の対象となる商品や役務の販売や提供に関連して行なわれるキャンペーンや特典の授与を直接的にあるいは間接的に知らせるためのものも含まれる。
【００９０】
このようなコマーシャルについては、放送局がどのコマーシャルをいつ放送するかのタイムテーブルを管理しているので、ウェブページ生成装置は、どのコマーシャルがいつ放送されるかなどを示す番組情報を放送局より取得するようになっていてもよい。
【００９１】
しかしながら、どのコマーシャルをいつ放送するかが公開されてしまうと、放送局の広告収入が推計されてしまうなどの問題点があり、放送局が番組情報を提供することについて、難色を示す場合もあり得る。そこで、本実施形態では、例えば、放送内容をリアルタイムで解析を行なう民間の調査会社から、番組情報を得るようになっていてもよい。このような調査会社は、どの放送局の番組中に誰が出演したかなどを調査しており、その調査の一環として、どの放送局でいつどのようなコマーシャルが放送されたかも調査することが可能である。
【００９２】
実施形態６は、上記特徴を除けば、各構成、各構成相互の関係、具体例はすべて実施形態１〜５と同様である。
【００９３】
<実施形態７>
実施形態７は、前記番組情報取得部が、広告を行なうために放送される番組を提供する会社である番組提供会社のサーバ装置より送信される番組情報を取得することを特徴とする実施形態６に記載のウェブページ生成装置である。
【００９４】
実施形態７は、上記特徴を除けば、各構成、各構成相互の関係、具体例はすべて実施形態６において引用される実施形態１〜５と同様である。
【００９５】
<実施形態８>
実施形態８は、前記番組情報取得部が、放送を行なう会社である放送会社のサーバ装置より送信される番組情報を取得することを特徴とする実施形態１〜６に記載のウェブページ生成システムである。
【００９６】
実施形態８は、上記特徴を除けば、各構成、各構成相互の関係、具体例はすべて実施形態１〜６と同様である。
【００９７】
<実施形態９>
実施形態９は、前記番組情報取得部が、広告代理店のサーバ装置より送信される番組情報を取得することを特徴とする実施形態６に記載のウェブページ生成システムである。
【００９８】
上で述べたように、どのコマーシャルがいつ放送されたかを公開されることについては、放送局が難色を示す場合がある。そこで、本実施形態において、番組情報は、広告の製作の受注、あるいは、広告放送の仲介を行なう広告会社より得られるようにしたものである。特に、広告会社が放送局に対して広告の放送を依頼する場合には、ＥＤＩ（Ｅｌｅｃｔｒｏｎｉｃ  Ｄａｔａ  Ｉｎｔｅｒｃｈａｎｇｅ）、すなわち、一定の業種の中で広く合意され標準化された商取引のためのデータを利用した情報の交換によって行なわれる場合が近年多くなってきており、このＥＤＩに基づく発注の情報を番組情報として利用するようになっていてもよい。
【００９９】
実施形態９は、上記特徴を除けば、各構成、各構成相互の関係、具体例はすべて実施形態６において引用される実施形態１〜５と同様である。
【０１００】
<実施形態１０>
<実施形態１０：概要>
本実施形態は、実施形態６〜９のいずれか一のウェブページ生成装置が有する、ウェブページを出力する部分及び機能に加え、放送中の番組に関連した商品又は役務の申込みと課金処理等を行なうための特徴及び構成を備えた実施形態である。
【０１０１】
<実施形態１０：構成>
すなわち、実施形態１０は、前記ウェブページには、広告によって宣伝される商品または役務の提供者へ商品または役務を申し込むための情報である申し込み情報が含まれることを特徴とし、申し込み情報に基づく商品または役務に対する申し込みを取得する申し込み取得部と、申し込み取得部で取得された申し込みをその申し込みが行なわれた商品または役務の提供者へ通知する通知部と、その申し込みが行なわれた商品または役務の提供者からの課金の依頼を受け付ける課金依頼受付部と、課金依頼受付部で受け付けられた課金の依頼に応じて課金処理を行なう課金処理部とを有する、実施形態６から８のいずれか一に記載のウェブページ生成装置である。
【０１０２】
以下、各構成につき、説明する。
【０１０３】
以下、各構成要件について説明する。図８は、本実施形態の機能ブロック図である。
【０１０４】
<構成要件：申し込み取得部>
申し込み取得部８０１は、ウェブページ生成装置２００において、申し込み情報に基づく商品または役務に対する申し込みを取得する部分である。具体的には、前記番組の視聴者は、実施形態１によって説明した方法その他によって自己が有する前記ネットワーク端末に表示したウェブページを表示に対し、前記端末から個人認証などの所定の操作を行なうことにより、申し込み取得部８０１に対し、ネットワークを介し、特定の商品または役務に対する申し込み情報を送信する。そして、申し込み情報取得部８０１が、前記申し込み情報を取得する。
【０１０５】
<構成要件：通知部>
通知部８０２は、申し込み取得部８０１で取得された申し込みを、その申し込みが行なわれた商品または役務の提供者へ通知する部分である。
【０１０６】
すなわち、通知部８０２は、前記申し込みを、ネットワークを通じ、商品または役務の提供者が使用するサーバ装置その他の電子処理装置にデータの形で送信する。または、前記提供者の有する設備形態によっては、前記申し込みを、ファクシミリ出力によって、又は自動音声による電話に対する出力によって送信する方法でもよい。
【０１０７】
また、申し込みが行なわれ、商品または役務の提供者へ通知されると、その返信として、申し込み番号などを含む情報がネットワーク端末に送信されるようになっていてもよい。例えば、ネットワーク端末が液晶などのビットマップ表示が可能な携帯電話などである場合には、ネットワーク端末に申し込み番号、申し込まれた商品または役務の識別番号などを含むバーコードや二次元コード（例えばＱＲコード）などが返信されるようになっていてもよい。このようなバーコードや二次元コードなどを店頭で提示することにより、申し込んだ商品や役務の提供をスムーズに受けたり、ポイントなどの特典とともに提供を受けたりすることができる。このようなスムーズな提供をうけたり、特典とともに提供を受けることができることを特定の商店などで実現されていることを視聴者に知らせておくことにより、商品や役務の販売を伸ばすだけでなく、商品や役務の提供がされる商店などの利益を上げることが可能となる。
【０１０８】
<構成要件：課金依頼受付部>
課金依頼受付部８０３は、前記申し込みが行なわれた商品または役務の提供者からの課金の依頼を受け付ける部分である。
【０１０９】
すなわち、前記提供者が、前記通知部からの前記通知を受け取ると、前記提供者のサーバ装置が、前記商品又は役務に対する所定の対価を、申込者に対し、課金するよう、課金依頼受付部８０３に依頼する。依頼の形は、通常は、前記提供者のサーバ装置が、前記通知を受け取ると、自動的に、依頼に関するデータを課金依頼受付部８０３に送信する形を取ることが多い。しかし、前記提供者の有する設備形態によっては、前記課金依頼受付部が有する自動応答装置等が、前記提供者からの電話による課金依頼を受けるという形でもよい。
【０１１０】
<構成要件：課金処理部>
課金処理部８０４は、前記課金依頼受付部８０３で受け付けられた課金の依頼に応じて課金処理を行なう部分である。
【０１１１】
課金の方法としては、申し込み取得部８０１が、前記申し込みを取得する際、申込者からクレジットカード会社とカード番号の情報提供を受けておき、かかるカード情報によって行なうことが考えられる。
【０１１２】
又は、課金処理部が、申込者に対し、ネットワークを通じ、申込者のネットワーク端末に対し、提供する商品又は役務の内容、価格、及び最終的な購買の意思の確認を求め、その回答を得る際、申込者のクレジットカード情報の提供を受ける形でもよい。
【０１１３】
さらには、いわゆるネット銀行を利用する例、その他、電子的な課金のシステムであればどんなものでも用いることができる。例えば、電子マネーや携帯電話を利用した決済であってもよい。
【０１１４】
<実施形態１０：具体例>
以下、図８より、実施形態１０の具体例を説明する。
【０１１５】
<概要>
例えば、テレビジョン放送において、通信販売の番組（「テレビショッピング」などと名づけられることの多い番組）を例に取る場合を説明する。当該番組においては、スポーツクラブの紹介の番組であるとする。
【０１１６】
<ウェブページの生成>
この場合、まず、番組情報取得部２０１〜ウェブページ出力部２０４の各部が、前記番組放送中（又は放送開始から放送終了後所定の時間経過まで）、前記番組に関連したウェブページを、ウェブページ生成装置２００に内蔵又は接続されたウェブサーバに蓄積し、視聴者からのアクセス可能な状態に置く。そして、この機能を実現するため、図示しない番組放送中情報取得部及び同期部をウェブページ生成装置２００に設け、実施形態２に説明した方法によって同期させることもできる。
【０１１７】
そして、前記番組の視聴者は、実施形態１において説明した方法により、自己が有するネットワーク端末から、前記ウェブページにアクセスする。例えば、前記ウェブページには、スポーツクラブに関しては、前記スポーツクラブの詳細な会員規定、細かいコース別のサービス内容、コースに応じた入会金と月会費の詳細、スポーツクラブの概要、所在、営業時間、施設内容について表示される。
【０１１８】
<視聴者の申し込み>
視聴者は、前記ウェブページから、所定の操作、例えば、コンピュータのマウスでクリックするなどにより、画面上の入会申し込みのページを自己の端末に表示させる。そして、同ページにおいて、役務の提供者が求める情報の入力を求められる。例えば、入会を希望するコースの種類、入会時期、支払クレジットカードに関する情報、視聴者の住所氏名等の個人情報、又は、前記会員規定に同意する旨などの情報である。
【０１１９】
そして、前記情報が、視聴者の端末から、ネットワークを通じ、申し込み取得部８０１に送信される。なお、送信される前記情報は、プライバシーの観点から、暗号化されて送信する方法でもよい。
【０１２０】
または、視聴者が、会員登録のような形で、前もって自己の個人情報（住所氏名、クレジットカード情報等）を、ウェブページ生成装置内の記憶装置に蓄積しておき、前記申し込み時は、前記会員登録にかかる会員番号等を入力するといった簡略化した申し込みの方法も考えられる。
【０１２１】
<申し込みの通知>
次に、通知部８０２が、申し込み取得部８０１で取得された前記申し込みを、その申し込みが行なわれた役務の提供者であるスポーツクラブへ通知する。
【０１２２】
通知の形式は、前記視聴者からの申し込み情報の全部又は一部を前記提供者にそのまま提供する形でもよく、また、前記のとおり、会員番号等の入力による申し込みの場合は、役務に関する申し込み内容に加え、通知部８０２が、前記会員番号等によって特定される視聴者の個人情報を附加して通知できる。
【０１２３】
また、この通知の段階では、通知部８０２が前記申し込み情報の一部を、前記提供者に送信しないこともできる。例えば、提供者が前記申し込みについて諾否を明確にしない段階では、無用な信用事故の発生を防止するため、クレジットカード情報は送信しないことがありうるし、ウェブページ生成装置２００が全て課金処理する場合は、クレジットカード情報は送信する必要がない、ということもありうる。
【０１２４】
いずれにしても、通知部８０２が、いかなる情報を通知するかは、前記提供者と、ウェブページ生成装置提供者等の関係者の協議で決める問題である。しかしながら、近年注目を集めているＥＤＩ（Ｅｌｅｃｔｒｏｎｉｃ  Ｄａｔａ  Ｉｎｔｅｒｃｈａｎｇｅ）、すなわち、一定の業種の中で広く合意され標準化された商取引のためのデータを利用した情報の交換を行なうことが望ましい。
【０１２５】
通知の方法としては、通知部８０２が、前記申し込みを、ネットワークを通じ、前記提供者が使用するサーバ装置その他の電子処理装置にデータの形で送信する。または、ファクシミリ若しくは自動音声による電話に対する出力でもよい。
【０１２６】
<構成要件：課金の依頼と受付>
次に、前記提供者が、前記通知を受け、前記役務の申し込みを承諾するかどうかを決し、承諾する場合は、課金依頼受付部８０３に対し、課金の依頼をなす。課金依頼受付部８０３は、前記課金依頼を受け付ける部分である。
【０１２７】
例えば、前記提供者は、受け取った視聴者に関する情報から、スポーツクラブの入会条件に合致するか、当該視聴者について、信用情報に関する事故歴がないかなどを調査することができる。そして、前記提供者がサーバ装置等による自動応答を行なっている場合は、前記サーバ装置が、前記役務に対する所定の対価（入会金、初月会費等、提供者が決めたもの）を、申込者に対し、課金するよう、ネットワークを介し、課金依頼受付部８０３に依頼する。
【０１２８】
または、前記提供者の有する設備形態によっては、前記課金依頼受付部８０３が、電話による自動応答装置等を備え、前記提供者からの電話による課金依頼を受けて処理する、という形も考えられる。
【０１２９】
さらに、前記提供者が、何らかの理由で前記役務の申し込みを拒絶する場合がありうる。それで、前記課金依頼受付部８０３において、前記申し込みを拒絶する情報を受け付け、これを前記視聴者に送信することもできる。
【０１３０】
<構成要件：課金処理>
次に、課金依頼受付部が受け付けた課金依頼に応じ、課金処理部８０４が、前記課金処理をなす。
【０１３１】
課金の方法は、構成要件の説明で述べたとおりである。
【０１３２】
<実施形態１０：効果>
実施形態１０によって、テレビジョン、ラジオ、野外広告等の媒体（特に広告媒体）が表示する商品、役務につき、これを見る者が直ちに購入の手続ができるようになる。かようにして、需要者の需要を即座に満たすことができ、宣伝効果が高まり、商品又は役務の提供者は、販売を増加することができる。
【０１３３】
<実施形態１１>
<実施形態１：概要>
実施形態１１は、実施形態１に関連した方法の発明である。
【０１３４】
<実施形態１１：構成>
すなわち、実施形態１１は、放送される番組を識別する識別子である番組識別子を含む情報である番組情報を取得する番組情報取得ステップと、番組情報取得ステップにて取得された番組情報から番組識別子を取得しその番組識別子にて識別される番組に関するウェブページ情報を取得するウェブページ情報取得ステップと、ウェブページ情報取得ステップで取得されたウェブページ情報からウェブページを生成するウェブページ生成ステップと、ウェブページ生成ステップで生成されたウェブページを前記番組の放送に同期させて出力するウェブページ出力ステップと、を含むウェブページ生成方法である。
【０１３５】
<実施形態１１：各ステップについての説明>
以下、各ステップについて、図９をもとに説明する。なお、各ステップにおける、番組情報及び番組識別子の内容、各ステップにおける具体例、詳細な機能についての説明は、実施形態１と同様である。
【０１３６】
<Ｓ９０１>
まず、番組情報取得ステップ（Ｓ９０１）について説明する。Ｓ９０１は、放送される番組を識別する識別子である番組識別子を含む情報である番組情報を取得するステップである。
【０１３７】
Ｓ９０１においては、前記ウェブページ生成装置において、インターネット等のネットワークを介して、番組識別子を含む番組情報（これは放送元等サーバより提供される）を取得する部分である。
【０１３８】
<Ｓ９０２>
ウェブページ情報取得ステップ（Ｓ９０２）について説明する。Ｓ９０２は、Ｓ９０１にて取得された番組情報から番組識別子を取得しその番組識別子にて識別される番組に関するウェブページ情報を取得するステップである。
【０１３９】
<Ｓ９０３>
ウェブページ生成ステップ（Ｓ９０３）について説明する。Ｓ９０３は、Ｓ９０２で取得されたウェブページ情報からウェブページを生成するウェブページ生成ステップである。
【０１４０】
<Ｓ９０４>
ウェブページ出力ステップ（Ｓ９０４）について説明する。Ｓ９０４は、ウェブページ生成ステップで生成されたウェブページを前記番組の放送に同期させて出力するステップである。
【産業上の利用可能性】
【０１４１】
本発明に係るウェブページ生成装置は、テレビジョン、ラジオ、野外広告等の媒体が表示に関する情報を、例えばリアルタイムに、かつ、容易な方法で得ることができ、有線又は無線放送、野外広告などの、公衆に対する送信の手段によって表示される情報に関連するウェブページを、前記情報と同期して出力表示させる装置などの用途に有用である。
【図面の簡単な説明】
【０１４２】
【図１】実施形態１を説明するための概念図
【図２】実施形態１の機能を説明するための機能ブロック図
【図３】実施形態１等における番組識別子の一例を説明する図
【図４】実施形態１等における番組情報の一例を説明する図
【図５】実施形態２の機能を説明するための機能ブロック図
【図６】実施形態２における番組放送中情報の一例を説明する図
【図７】実施形態２における番組放送中情報の一例を説明する図
【図８】実施形態１０の機能を説明するための機能ブロック図
【図９】実施形態１１の処理の流れを示すフロー図
【符号の説明】
【０１４３】
１０１  広告主等が使用するサーバ装置
１０２  広告代理店等が使用するサーバ装置
１０３  放送局
１０４  放送受信機
１０５  番組
１０６  ウェブページ生成装置
１０７  端末
１０８  端末に表示されたウェブページ
【図１】
2005267062.tif 000003
【図２】
2005267062.tif 000004
【図３】
2005267062.tif 000005
【図４】
2005267062.tif 000006
【図５】
2005267062.tif 000007
【図６】
2005267062.tif 000008
【図７】
2005267062.tif 000009
【図８】
2005267062.tif 000010
【図９】
2005267062.tif 000011